(57)【要約】      （修正有）【課題】可視光では発光しない特殊なインク等を用いて印刷等した画像でも測定可能な測色装置等を提供する。【解決手段】不可視光により発光するインク等で印刷された対象物を配置する対象物配置部７２と、対象物に不可視光を照射する紫外線発光部７３ａと，発光したインクの光を受光する受光部７５と、受光した光の輝度情報を取得する輝度情報取得部と、輝度情報に基づいて、色彩情報を色彩の標準情報である色彩標準情報に基づく色彩標準個別情報に変換する色彩基準情報取得部と、を有し、色彩標準個別情報に基づいて、当該印刷装置の特性に基づく他の印刷装置の発色を調整可能な基準情報である印刷機発色特性基準情報を生成する測色装置７０。【選択図】図２
2015087301.tif 000002
【特許請求の範囲】
【請求項１】
不可視光により発光するインクを用いて、印刷装置により印刷された対象物を配置する対象物配置部と、
前記対象物に不可視光を照射する不可視光発光部と
前記不可視光を照射された前記対象物で発光した前記インクの光を受光する受光部と、
前記受光部で受光した光の輝度情報を取得する輝度情報取得部と、
前記輝度情報に基づいて、前記受光した光に含まれる色彩情報を色彩の標準情報である色彩標準情報に基づく色彩標準個別情報に変換する色彩基準情報取得部と、を有し、
前記色彩標準個別情報に基づいて、当該印刷装置の特性に基づいた他の印刷装置における発色を調整可能な基準情報である印刷機発色特性基準情報を生成することを特徴とする測色装置。
【請求項２】
前記不可視光が、紫外線であり、前記不可視光発光部が、紫外線発光部であることを特徴とする請求項１に記載の測色装置。
【請求項３】
前記不可視光発光部から照射される紫外線の励起光と可視光と間のうち、前記可視光側近傍の紫外線を取り除く紫外線除去部が配置されていることを特徴とする請求項２に記載の測色装置。
【請求項４】
前記紫外線除去部は、３８０ｎｍ乃至４００ｎｍの波長の紫外線を取り除く構成となっていることを特徴とする請求項３に記載の測色装置。
【請求項５】
前記不可視光により発光する顔料を用いて作成した標準サンプルを測定し、該当標準サンプルの測色値を使って、前記対象物の測色値を校正することを特徴とする請求項１乃至請求項４のいずれか１項に記載の測色装置。
【請求項６】
前記標準サンプルは、紫外線硬化インクを使って印刷された画像パッチであることを特徴とする請求項５に記載の測色装置。
【請求項７】
前記色彩標準情報が、国際照明委員会（ＣＩＥ）で標準表色系として承認されたＸＹＺ表色系基準情報及び／又は、ＣＩＥ及びＪＩＳ（ＪＩＳＺ８７２９）で標準表色系として承認されたＬ＊ａ＊ｂ＊表色系基準情報であることを特徴とする請求項１乃至請求項６のいずれか１項に記載の測色装置。
【請求項８】
前記測色装置と、
前記測色装置と通信可能で印刷物の情報を管理する印刷物情報管理装置と、
製版印刷機を制御すると共に、前記印刷物情報管理装置と通信可能な印刷機管理装置と、を有する印刷物情報管理システムであって、
前記印刷物情報管理装置は、
印刷物に印刷する対象を特定する印刷物特定情報を取得し、
不可視光で発光するインクを用いた製版印刷機による印刷結果情報に基づき生成された印刷機発色特性基礎情報を前記測色装置から取得し
前記印刷物特定情報及び前記印刷機発色特性基準情報に基づいて、当該製版印刷機の製版印刷機用製版情報を生成することを特徴とする請求項１乃至請求項４のいずれか１項に記載の測色装置を備える印刷物情報管理システム。
【発明の詳細な説明】
【技術分野】
【０００１】
本発明は、例えば、インク等を用いて対象物に印刷機等で印刷したときの色彩を測定する測色装置及び印刷情報管理システムに関するものである。
【背景技術】
【０００２】
従来、紙等の対象物にインクを用いて印刷機で印刷すると、同じインクを用いても印刷機により印刷された画像等の色彩が微妙に相違するため、印刷機毎に印刷された画像等の色彩の相違を客観的に測定するための測色機が用いられている（例えば、特許文献１）。
このような測色機は，対象物に白色光を照射して、その反射光を受光し、この受光した光を分析して、色彩の特徴を測定する構成となっている。
【先行技術文献】
【特許文献】
【０００３】
【特許文献１】特開２０１３―７６１０公報
【発明の概要】
【発明が解決しようとする課題】
【０００４】
しかし、紫外線発光インク等の可視光で発光しない特殊なインクを用いて印刷した場合は、対象物に白色光を照射しても色彩は現れず、その反射光から色彩の特徴を測定することは困難であるという問題があった。
【０００５】
そこで、本発明は、可視光では発光しない特殊なインクを用いて印刷した画像でも測定可能な測色装置及び印刷情報管理システムを提供することを目的とする。
【０００６】
上記目的は、本発明にあっては、不可視光により発光するインクを用いて、印刷装置により印刷された対象物を配置する対象物配置部と、前記対象物に不可視光を照射する不可視光発光部と、前記不可視光を照射された前記対象物で発光した前記インクの光を受光する受光部と、前記受光部で受光した光の輝度情報を取得する輝度情報取得部と、前記輝度情報に基づいて、前記受光した光に含まれる色彩情報を色彩の標準情報である色彩標準情報に基づく色彩標準個別情報に変換する色彩基準情報取得部と、を有し、前記色彩標準個別情報に基づいて、当該印刷装置の特性に基づいた他の印刷装置における発色を調整可能な基準情報である印刷機発色特性基準情報を生成することを特徴とする測色装置により達成される。
【０００７】
前記構成によれば、対象物に紫外線等の不可視光を照射することで、可視光では発光しないインク等のインクで描かれた対象物上の画像からの光の輝度情報を取得することができる。
また、前記構成では、輝度情報をＸＹＺ表色系基準情報やＬ＊ａ＊ｂ＊表色系基準情報等の客観的に評価できる色彩標準情報に変換し、この色彩標準情報等に基づき、当該印刷機用ＩＣＣプロファイル等の印刷機発色特性基準情報を取得できるので、当該対象物の画像等を印刷した印刷機等の色彩の発色特徴を把握することができる。
【０００８】
好ましくは、前記不可視光が、紫外線であり、前記不可視光発光部が、紫外線発光部であることを特徴とする。
【０００９】
好ましくは、前記不可視光発光部から照射される紫外線の励起光と可視光と間のうち、前記可視光側近傍の紫外線を取り除く紫外線除去部が配置されていることを特徴とする。
【００１０】
前記構成によれば、紫外線の励起光（例えば、波長３７５ｎｍ）と可視光と間のうち、前記可視光側近傍の紫外線（例えば、波長３８０ｎｍ〜４００ｎｍ）は、人では色彩を視認できない場合が多い。しかし、測色装置では、受光可能であるため、この光の輝度情報等も測定し、人が視認可能な色彩と測色装置の測定した色彩が異なるという事態が発生する。
そこで、前記構成では、紫外線の励起光から離間した可視光側近傍の紫外線を紫外線除去部で取り除く構成となっているので、測色装置が測定した色彩を人が視認する色彩に同様にすることができる。
【００１１】
好ましくは、前記紫外線除去部は、３８０ｎｍ乃至４００ｎｍの波長の紫外線を取り除く構成となっていることを特徴とする。
【００１２】
好ましくは、前記不可視光により発光する顔料を用いて作成した標準サンプルを測定し、該当標準サンプルの測色値を使って、前記対象物の測色値を校正することを特徴とする。
【００１３】
前記構成によれば、一般的に、測色装置は電気的な安定性、環境温度の変化、照明ランプの老化などにより測定値が影響される。前記構成によれば、対象物の測色と同時に、同じ測定条件で標準サンプルを測定し、得られた標準サンプルの測色値と該当標準サンプルの基準色彩値を参照し、対象物の測色値を校正することができて、測定環境変化の影響をなくし、常に正確な測色値を得ることができる。
【００１４】
好ましくは、前記標準サンプルは、紫外線硬化インクを使って印刷された画像パッチであることを特徴とする。
【００１５】
前記構成によれば、紫外線硬化インクで印刷された標準サンプルなので、発色特性の経時変化が少なく、このため、標準サンプルとして、発光特性を安定して保つことができる。
【００１６】
好ましくは、前記色彩標準情報が、国際照明委員会（ＣＩＥ）で標準表色系として承認されたＸＹＺ表色系基準情報及び／又は、ＣＩＥ及びＪＩＳ（ＪＩＳＺ８７２９）で標準表色系として承認されたＬ＊ａ＊ｂ＊表色系基準情報であることを特徴とする。
【００１７】
前記構成によれば、色彩標準情報が、国際的に確立した基準に基づいて定められるので、測色装置で測定された色彩の発色特性をより客観的に特定することができる。
【００１８】
前記測色装置と、前記測色装置と通信可能で印刷物の情報を管理する印刷物情報管理装置と、製版印刷機を制御すると共に、前記印刷物情報管理装置と通信可能な印刷機管理装置と、を有する印刷物情報管理システムであって、前記印刷物情報管理装置は、印刷物に印刷する対象を特定する印刷物特定情報を取得し、不可視光で発光するインクを用いた製版印刷機による印刷結果情報に基づき生成された印刷機発色特性基礎情報を前記測色装置から取得し、前記印刷物特定情報及び前記印刷機発色特性基準情報に基づいて、当該製版印刷機の製版印刷機用製版情報を生成することを特徴とする。
【００１９】
前記構成によれば、不可視光で発光する特殊インクを用いた製版印刷機による印刷結果情報に基づき生成された印刷機発色特性基礎情報を取得する。
このため、例えば、印刷会社等が、特殊インクで実際に印刷する製版印刷機のインクの印刷機用ＩＣＣプロファイル等の印刷機発色特性基準情報を取得することができる。
したがって、印刷会社が特殊インクを用いて製版印刷機で印刷したときの発色特性を予め取得することができる。
また、前記構成では、印刷物特定情報及び印刷機発色特性基準情報に基づいて、最終製版情報（ＲＧＢ形式等）等の製版印刷機用製版情報を生成させる。
このため、印刷会社がポスター等の印刷物を実際に製版印刷機で印刷する際に使用する製版印刷機用製版情報は、ポスター等の印字等の内容を特定する印刷物特定情報、製版印刷機の発色特性を考慮した印刷機用ＩＣＣプロファイル等の印刷機発色特性基準情報に基づいて生成される。
したがって、特殊インクを用いて製版印刷機で印刷したポスター等の印刷物は、製版印刷機の発色特性の相違等で発色が異なることなく調整して印刷される。そして、結果として発注者の特定した色とならず、手戻り等が発生するという問題の発生を未然に回避することができる。
【発明の効果】
【００２０】
以上説明したように、本発明は、可視光では発光しない特殊なインクを用いて印刷した画像でも測定可能な測色装置及び印刷情報管理システムを提供することができるという利点がある。
【図面の簡単な説明】
【００２１】
【図１】本発明の印刷物情報管理システムの実施の形態である例えば、印刷物受注システムを示す概略図である。
【図２】図１に示す測色機を示す概略斜視図である。
【図３】図２の測色機本体の内部の主な構成を示す概略説明図である。
【図４】図３のＩＣＣプロファイル生成装置の主な構成を示す概略ブロック図である。
【図５】ＩＣＣプロファイル生成装置第１各種記憶部の主な内容を示す概略ブロック図である。
【図６】ＩＣＣプロファイル生成装置第２各種記憶部の主な内容を示す概略ブロック図である。
【図７】図１に示すクライアント側サーバの主な構成を示す概略ブロック図である。
【図８】図１の印刷会社側サーバの主な構成を示す概略ブロック図である。
【図９】図１の管理サーバの主な構成を示す概略ブロック図である。
【図１０】図９に示す管理サーバ第１各種情報記憶部の主な構成を示す概略ブロック図である。
【図１１】図９に示す管理サーバ第２各種情報記憶部の主な構成を示す概略ブロック図である。
【図１２】図９に示す管理サーバ第３各種情報記憶部の主な構成を示す概略ブロック図である。
【図１３】本実施の形態に係る印刷物受注システムの主な動作例を示す概略フローチャートである。
【図１４】本実施の形態に係る印刷物受注システムの主な動作例を示す他の概略フローチャートである。
【図１５】本実施の形態に係る印刷物受注システム１の主な動作例を示す他の概略フローチャートである。
【図１６】本実施の形態に係る印刷物受注システム１の主な動作例を示す他の概略フローチャートである。
【発明を実施するための形態】
【００２２】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２３】
図１は、本発明の印刷物情報管理システムの実施の形態である例えば、印刷物受注システム１を示す概略図である。
図１に示すように、本実施の形態では、対象物及び印刷物である、例えば、多色刷りポスターの印刷を管理会社２に発注する「クライアント会社３」に配置されている「クライアント側サーバ１０」を有している。
この多色刷りポスターは「管理会社２」の製造に係る不可視光で発光する特殊インクである例えば、透明インクを含む紫外線により発光する紫外線（不可視光）発光インクにより印刷されることが求められている。
【００２４】
また、図１に示すように、管理会社２は、印刷物情報管理装置である例えば、「管理サーバ３０」を有している。
この管理会社２は、印刷機等の機器のインクの発色特性を測定する測色装置である例えば、「測色機７０」を有し、この測色機７０は、管理サーバ３０と通信可能に接続されている。
また、管理会社２は、製版情報を用いない非製版印刷機である例えば、「インクジェットプリンタ７１」も有し、このインクジェットプリンタ７１は、管理サーバ３０と通信可能に接続されている。
【００２５】
また、図１に示すように、ポスターを実際に印刷する「印刷会社５」は、印刷装置であり製版印刷機である例えば、「印刷機１００」を有すると共に、印刷機管理装置である例えば、「印刷会社側サーバ８０」を有し、印刷機１００は、印刷会社側サーバ８０と通信可能に接続されている。
【００２６】
さらに、これらクライアント側サーバ１０，管理サーバ３０及び印刷会社側サーバ８０は、「インターネット網４」に接続され、相互に通信可能な構成となっている。
【００２７】
図１に示すクライアント側サーバ１０，管理サーバ３０、測色機７０、インクジェットプリンタ７１及び印刷会社側サーバ８０等は、コンピュータであり、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）やハードディスク等を有し、バスを介して接続されている。
【００２８】
図２は、図１に示す測色機７０を示す概略斜視図である。図２に示すように、測色機７０は、測色対象であり、その表面に紫外線発光インクで画像が印刷されている印刷物を配置する対象物印刷部である例えば、配置部７２を有している。
また、この配置部７２の上方には、この印刷物に対して紫外線を照射するための不可視光発光部である例えば、紫外線発光部７３ａ、７３ｂが二つ配置されている。
紫外線は一般に、その波長が約１０ｎｍ〜約４００ｎｍであり、可視光は、約４００ｎｍから約７８０ｎｍであるが、本実施の形態の紫外線発光部７３ａ、７３ｂは、それぞれ、例えば、励起光の波長が３７５ｎｍの紫外線を照射する構成となっている。
このように紫外線発光部７３ａ等から照射された紫外線が、印刷物の画像の紫外線発光インクに到達すると、インクは発光し、インクが発光した光と紫外線の光が、上方に進む。
このため、本実施の形態では、紫外線発光インクが発光した光を受光するための受光部７５を備える測色機本体７６が、３本の支持脚７７ａ、７７ｂ、７７ｃに支持されて配置されている。
【００２９】
ところで、紫外線発光部７３ａ、７３ｂから照射される光は、励起光３７５ｎｍの光のほか、可視光との境界領域である波長４００ｎｍ近傍の紫外線も含まれている。  但し、通常、人が視認できる範囲外となる。
しかし、図２の測色機７１の受光部７５は、この紫外線の光を受光でき、あたかも人が視認したように、処理することとなる。
これでは、測色機７０の測色結果が、人の視認した色彩の結果と相違することなる。
そこで、本実施の形態では、この紫外線の領域である、励起光（３７５ｎｍ）と可視光（４００ｎｍ）との間の可視光側近傍である例えば、３８０ｎｍ〜４００ｎｍの波長の紫外線を取り除く、紫外線除去部である例えば、紫外線フィルタ７４ａ、７４ｂが、それぞれ、紫外線発光部７３ａ、７３ｂに取り付けられている。
このため、本実施の形態にかかる測色機７０は、人の視認した状態と同等の色彩を測定することができる。
【００３０】
図３は、図２の測色機本体７６の内部の主な構成を示す概略説明図である。
測色機本体７６は、図２の受光部７５から取り込んだ光が入射する対物レンズ１１０を有し、この対物レンズ１１０を透過した光は、アパーチャミラー１１１を透過し、光束となり、次の光ファイバ１１２内でミキシングされ、コリメータレンズ１１３で、光が平行状態になるように光学調整が行われる。
この平行光は、次の回折格子１１４で分光され、分光光束となって、結像レンズ１１５を介して、輝度情報取得部である例えば、センサ１１６に入力される。
【００３１】
センサ１１６は、光の輝度情報を検出し、その輝度情報は、図３の「ＩＣＣ（Ｉｎｔｅｒｎａｔｉｏｎａｌ  Ｃｏｌｏｒ  Ｃｏｎｓｏｒｔｉｕｍ）プロファイル生成装置１１７」に入力される構成となっている。
なお、ここでＩＣＣプロファイルは、同じ紫外線発光インクを使用して当該印刷機１００と他の印刷機で同じ画像を印刷したときの色彩の相違の情報であり、当該印刷機の特性に基づいた他の印刷機の発色を調整可能な基準情報である印刷機発色特性基準情報の一例となっている。
【００３２】
図４は、図３のＩＣＣプロファイル生成装置１１７の主な構成を示す概略ブロック図である。
図４に示すように、ＩＣＣプロファイル生成装置１１７は、「ＩＣＣプロファイル生成装置制御部１２０」を有し、ＩＣＣプロファイル生成装置制御部１２０は、センサ１１６や管理サーバ３０と通信するための「ＩＣＣプロファイル生成装置側通信装置１２１」を制御する他、図４に示す「ＩＣＣプロファイル生成装置第１各種記憶部１３０」及び「ＩＣＣプロファイル生成装置第１各種記憶部１３０」も制御する。
図５及び図６は、それぞれ、「ＩＣＣプロファイル生成装置第１各種記憶部１３０」及び「ＩＣＣプロファイル生成装置第２各種記憶部１４０」の主な内容を示す概略ブロック図である。これら「ＩＣＣプロファイル生成装置第１各種記憶部１３０」及び「ＩＣＣプロファイル生成装置第２各種記憶部１４０」の内容については、後述する。
【００３３】
図７は、図１に示すクライアント側サーバ１０の主な構成を示す概略ブロック図である。
図７に示すように、クライアント側サーバ１０は、「クライアント側サーバ制御部１１」を有し、クライアント側サーバ制御部１１は、管理サーバ３０等と通信する「クライアント側通信装置１２」、各種情報を入力する「クライアント側サーバ入力装置１３」及び各種情報を表示する「クライアント側サーバディスプレイ１４」等を制御している。
また、クライアント側サーバ制御部１１は、ポスターの対象である例えば、印刷内容を特定する情報である「クライアント側印刷用基礎情報記憶部１５」も制御するが、この記憶部については後述する。
【００３４】
図８は、図１の印刷会社側サーバ８０の主な構成を示す概略ブロック図である。
図８に示すように、印刷会社側サーバ８０は、「印刷会社側サーバ制御部８１」を有し、印刷会社側サーバ８０は、管理サーバ３０等と通信するための「印刷会社側サーバ通信装置８２」、各種情報を入力するための「印刷会社側サーバ入力装置８３」及び各種情報を表示するための「印刷会社側サーバディスプレイ８４」を制御する。
また、印刷会社側サーバ制御部８１は、図３に示す「透明インク用カラーパッチ画像取得処理部（プログラム）８５」及び「印刷会社側透明インク用カラーパッチ画像情報記憶部８６」も制御するが、これらについては後述する。
【００３５】
図９は、図１の管理サーバ３０の主な構成を示す概略ブロック図である。
図９に示すように、管理サーバ３０は、「管理サーバ制御部３１」を有し、管理サーバ３０は、クライアント側サーバ１０や印刷会社側サーバ８０等と通信するための「管理サーバ側通信装置３２」、各種情報を入力するための「管理サーバ側入力装置３３」及び各種情報を表示するための「管理サーバ側ディスプレイ３４」を制御する。
また、管理サーバ制御部３１は、図９に示す「管理サーバ第１各種情報記憶部４０」、「管理サーバ第２各種情報記憶部５０」及び「管理サーバ第３各種情報記憶部６０」を制御する。
図１０乃至図１２は、それぞれ図９に示す「管理サーバ第１各種情報記憶部４０」、「管理サーバ第２各種情報記憶部５０」及び「管理サーバ第３各種情報記憶部６０」の主な構成を示す概略ブロック図である。これらの内容については後述する。
【００３６】
図１３乃至図１６は、本実施の形態に係る印刷物受注システム１の主な動作例を示す概略フローチャートである。
以下、これらフローチャートに沿って、その動作等を説明すると共に、図１乃至図１２の構成についても併せて説明する。
【００３７】
先ず、本実施の形態では、クライアント会社３が、管理会社２が有する紫外線発光インクである透明インク等を用いてポスターを印刷することを管理会社２に発注し、管理会社２は、その発注を受注すると共に、実際の印刷を印刷会社５に発注する。以下、この例に基づき、各動作を説明する。
【００３８】
図１３のステップＳＴ（以下「ＳＴ」とする。）１では、図１のクライアント側サーバ１０」は、図７の「クライアント側印刷用基礎情報記憶部１５」内の「クライアント側印刷用基礎情報」を送信する送信信号を検知したか否かが判断される。
この「クライアント側印刷用基礎情報」は、例えば、特定のＲＧＢ（赤、緑、青）の基準である「色基準」で作成した、印刷物特定情報である例えば、ポスター印刷用基礎情報となっている。
また、この送信信号は、具体的には、図１のクライアント会社３で担当者が、ポスターの印刷を発注する際に、クライアント側サーバ１０を操作して入力される信号である。
【００３９】
ＳＴ１で、送信信号が入力されたときは、ＳＴ２へ進む。ＳＴ２では、図１のクライアント側サーバ１０は、図７の「クライアント側印刷用基礎情報記憶部１５」に記憶されているクライアント側印刷用基礎情報を、図７のクライアント側通信装置１２等を介して、図１の管理サーバ３０へ送信する。
【００４０】
次いで、ＳＴ３へ進む。ＳＴ３では、管理サーバ３０は、「クライアント側印刷用基礎情報」を受信したか否かを判断する。
具体的には、図１０の「クライアント側印刷用基礎情報取得処理部（プログラム）４１」が動作し、「クライアント側印刷用基礎情報」を受信したか否かを判断する。
【００４１】
ＳＴ３で、管理サーバ３０が、「クライアント側印刷用情報」を受信したときは、ＳＴ４へ進む。ＳＴ４では、管理サーバ３０は、「クライアント側サーバ１０」から受信した「クライアント側印刷用基礎情報」を図１０の「管理サーバ側印刷用基礎情報記憶部４２」に「管理サーバ側印刷用基礎情報」として記憶する。
【００４２】
クライアント会社３から、ポスター印刷の発注を受けた管理会社２は、実際に印刷する印刷会社５に、当該ポスター印刷で使用する「紫外線発光インク（透明インク）」を送付すると共に、この透明インクを使用して、印刷会社５の印刷機１００で印刷したときのインクの発色特性等を取得するため、所定の「透明インク用カラーパッチ画面情報」を印刷会社５の「印刷会社側サーバ８０」へ送信する。
【００４３】
この「透明インク用カラーパッチ画面情報」は、例えば、多色印刷用の透明インク用でカラーパッチ画像情報であり、ＲＧＢ（赤、緑、青）の各色に対応する３列分のパッチ（内側に均一な濃度で各色が印刷可能となっている任意のパターン）が印刷されている。
印刷会社５は、印刷機１００を用いて、このパッチに、上述の透明インクで各色を印刷することとなる。
【００４４】
そして、図１３のＳＴ５では、管理サーバ３０は、「透明インク用カラーパッチ画像情報」の送信信号を検知したときは、ＳＴ６へ進む。ＳＴ６では、図１０の「透明インク（インビジブルインク）用カラーパッチ画像情報記憶部４３」の「透明インク（インビジブルインク）用カラーパッチ画像情報」が、「管理サーバ側通信装置３２」等と介して、「印刷会社側サーバ８０」へ送信される。
【００４５】
次いで、ＳＴ７へ進む。ＳＴ７では、印刷会社側サーバ８０は「透明インク用カラーパッチ画像情報」を受信したか否かを判断する。
具体的には、図８の「透明インク用カラーパッチ画像情報取得処理部（プログラム）８５」が判断する。
【００４６】
ＳＴ７で、「透明インク用カラーパッチ画像情報」を受信したと判断されたときは、ＳＴ８へ進む。ＳＴ８では、「透明インク用カラーパッチ画像情報取得処理部（プログラム）８５」が、受信した「透明インク用カラーパッチ画像情報」を図３の「印刷会社側透明インク用カラーパッチ画像情報記憶部８６」に「印刷会社側透明インク用カラーパッチ画像情報」として記憶する。
【００４７】
これらの工程で、印刷会社５は、管理会社２から発注されたポスターの印刷に用いる「透明インク」と、当該透明インクの「透明インク用カラーパッチ画像情報」を取得する。
次いで、印刷会社５は、この透明インクを用いて、ポスターを印刷予定の図１の印刷機１００で「透明インク用カラーパッチ画像」に各色ＲＧＢを印刷する。
【００４８】
そして、ＳＴ９に進む。ＳＴ９では、印刷会社５が「印刷済み透明インク用カラーパッチ画像サンプル」を管理会社２に送付する。
なお、この「印刷済み透明インク用カラーパッチ画像サンプル」が、「印刷結果情報」の一例となっている。
【００４９】
次いで、ＳＴ１０へ進む。ＳＴ１０では、図２の測色機７０の「紫外線発光部７３ａ、７３ｂ」が「印刷済み透明インク用カラーパッチ画像サンプル」に、例えば、励起光が波長３７５ｎｍの紫外線を照射し、測色機７０の「受光部７５」が、そのインクが発した光を受光する。このとき、紫外線発光部７３ａ、７３ｂには、紫外線フィルタ７４ａ、７４ｂを有し、３８０ｎｍ〜４００の波長をカットしたので、人が視認したと同様の測定結果を得ることができる。
【００５０】
次いで、ＳＴ１１へ進む。ＳＴ１１では、測色機７０は、受光した光を、対物レンズ１１０、アパーチャミラー１１１、光ファイバ１１２、コリメータレンズ１１３、回折格子１１４及び結像レンズ１１５等を介して、センサ１１６に入力し、輝度情報を取得し、その輝度情報をＩＣＣプロファイル生成装置１１７に入力する。
【００５１】
また、ここで入力された輝度情報を校正する。具体的には、対象物を測定する際に、測色機は前述した標準サンプルを測定し、その輝度情報を取得する。
また、該当標準サンプルは基準となる輝度値を持っている。標準サンプルでの測定した輝度値は、該当基準輝度値からの差分を計算する。この差分をもって、対象物の測定輝度値を上下修正する。こうすれば、照明の変化など測定環境の変化による対象物の測定値への影響をなくし、常に正確な測定値を得ることができる。
また、本実施例では、標準サンプルとして、ＵＶ硬化タイプの紫外線発光インクを用いて印刷された画像パッチを使用する。
なお、この標準サンプルは、不可視光により発光する顔料を用いて作成することができる。
【００５２】
次いで、ＳＴ１２へ進む、ＳＴ１２では、ＩＣＣプロファイル生成装置１１７は、入力された輝度情報を図５の「輝度情報記憶部１３１」に記憶する。
次いで、ＳＴ１３へ進む。ＳＴ１３では、色彩基準情報取得部である例えば、図５の「ＸＹＺ表色系情報生成部（プログラム）１３２」が動作し、色彩基準情報である例えば、図５の「ＸＹＺ表色系基準情報１３３」と「輝度情報」を参照して、輝度情報をＸＹＺ表色系情報に変換し、図５の「ＸＹＺ表色系情報記憶部１３４」に記憶する。
ここで、「ＸＹＺ表色系基準情報１３３」は、ＣＩＥ（国際照明委員会）で標準表色系として承認された情報であり、世界的に基準が確立しているものである。
【００５３】
次いで、ＳＴ１４へ進む。ＳＴ１４は、色彩基準情報取得部である例えば、図５の「Ｌ＊ａ＊ｂ＊表色系情報生成部（プログラム）１３６」が動作し、図５の「ＸＹＺ表色系情報記憶部１３４」の「ＸＹＺ表色系情報」と図５の「Ｌ＊ａ＊ｂ＊表色系基準情報記憶部１３５」の色彩標準情報である例えば、「Ｌ＊ａ＊ｂ＊表色系基準情報」とを参照して、ＸＹＺ表色系情報をＬ＊ａ＊ｂ＊情報に変換し、図６の「測定対象Ｌ＊ａ＊ｂ＊情報記憶部１４１」に記憶する。
ここで、「Ｌ＊ａ＊ｂ＊表色系基準情報」は、ＣＩＥ（国際照明委員会）及びＪＩＳ（ＪＩＳＺ８７２９）で標準表色系として承認された情報であって、このＬ＊ａ＊ｂ＊表色系は、明度をＬ＊、色相と彩度をなす色度をａ＊ｂ＊で表す。例えば、＋ａ＊は赤方向、−ａ＊は緑方向、＋ｂ＊は、黄色方向、−ｂ＊は、青色方向、数値が大きくなるに従い、色が鮮やかとなり、数値がゼロに近づくにつれてくすんだ色となる。
【００５４】
次いで、ＳＴ１５へ進む。ＳＴ１５では、図６の「印刷機発色特性基礎情報生成部（プログラム）１４２」が動作し、図６の「透明インク用カラーパッチ画像標準Ｌ＊ａ＊ｂ＊表色系情報記憶部１４３」の「透明インク用カラーパッチ画像標準Ｌ＊ａ＊ｂ＊表色系情報と「測定対象Ｌ＊ａ＊ｂ＊情報記憶部１４１」の測定対象Ｌ＊ａ＊ｂ＊情報とを比較し、当該印刷機１００の色彩の発色特性を示す「印刷機発色特性基礎情報」を生成し、図６の「印刷機発色特性基礎情報記憶部１４４」に記憶する。
【００５５】
次いで、ＳＴ１６へ進む。ＳＴ１６では、図６の「印刷機用発色特性情報プロファイル生成部（プログラム）１４５」が動作して、図６の「印刷機発色特性基礎情報記憶部１４４」の印刷機発色特性基礎情報に基づいて印刷機１００の印刷機用発色特性情報プロファイル（例えば、印刷機１００用ＩＣＣプロファイル）を生成し、図６の「印刷機用発色特性情報プロファイル記憶部１４６」に「印刷機用発色特性情報プロファイル」として記憶する。
【００５６】
この「当該印刷機用ＩＣＣプロファイル」は、印刷機１００の発色特性に基づいた他の機器（各種ディスプレイ等）における発色を調整可能な基準情報である「印刷機発色特性基準情報」の一例である。
このように、本実施の形態では、紫外線発光インク（透明インク）を使用する場合でも，精度良く、当該印刷機（印刷機１００）の印刷機１００用ＩＣＣプロファイルである「印刷機用発色特性情報プロファイル」を生成することができる。
また、この「当該印刷機用ＩＣＣプロファイル」の情報に基づき「色変換モジュール」等を用いることで、印刷機１００等のデバイス毎の発色特性の相違を考慮し、各種デバイスで印字されたインクの発色が共通となるように調整することができる。
【００５７】
次いで、ＳＴ１７へ進む。ＳＴ１７では、図１１の「製版情報生成部（プログラム）５４」が動作し、「管理サーバ側印刷用基礎情報記憶部４２」の「管理サーバ側印刷用基礎情報（例えば、ポスター用の印刷用基礎情報）」と「印刷機用発色特性情報プロファイル記憶部５３」の「印刷機用発色特性情報プロファイル（当該印刷機用ＩＣＣプロファイル」」に基づいて、ＲＧＢ（赤、緑、青）形式の「基礎製版情報」を生成する。
生成された「基礎製版情報」は、図１１の「基礎製版情報記憶部５５」に「基礎製版情報」として記憶される。
この「基礎製版情報」が「製版印刷機用製版情報」の一例である。
【００５８】
このように、「基礎製版情報記憶部５５」の「基礎製版情報」は、ポスターの印刷用基礎情報（どのような図案で、どのような色のインクを用いるか等の情報）と、このポスターを実際に印刷する印刷機１００で印刷したときの当該透明インクの発色特性の情報を考慮して生成されている。
このため、透明インクを用いて印刷機１００で印刷したポスター等の印刷物は、印刷機１００の発色特性の相違等で発色が異なることなく調整して印刷される。そして、このため、発注者であるクライアント会社３の特定した色とならず、手戻り等が発生するという問題の発生を未然に回避することができる。
【００５９】
次いで、ＳＴ１８へ進む。ＳＴ１８では、図１２の「最終製版情報生成部（プログラム）６１」が動作し、「基礎製版情報記憶部５５」の「基礎製版情報（ＲＧＢ形式）」に基づいて、これを例えば、反転等させて、ＣＭＹＫ形式の「最終製版情報」を生成し、図１２の「最終製版情報記憶部６２」に「最終製版情報」として記憶する。
【００６０】
なお、本実施の形態では、ＲＧＢ形式の製版情報を生成し、その後、ＣＭＹＫ形式の製版情報を生成しているが、本発明はこれに限らず、「最終製版情報」がＲＧＢ形式であっても構わない。
また、「最終製版情報」が印刷機に使用されるインク毎に対応する複数の単一チャネル形式の製版情報（グレースケール画像）であっても構わない。 
【００６１】
ところで、管理サーバ３０の図１２の「インクジェットプリンタ発色特性情報プロファイル記憶部６３」には、図１の「インクジェットプリンタ７２」の「インクジェットプリンタ用ＩＣＣプロファイル」である「インクの発色特性情報プロファイル」が記憶されている。
この「インクジェットプリンタ用ＩＣＣプロファイル」は、図１の「インクジェットプリンタ７１」の発色特性に基づいた他の機器におけるインクの発色を調整可能な基準である「非製版印刷機発色特性基準情報」の一例である。
【００６２】
したがって、ＳＴ１９では、図１２の「印刷サンプル生成部（プログラム）６４」が動作し、「インクジェットプリンタ発色特性情報プロファイル記憶部６３」の「インクジェットプリンタ発色特性情報プロファイル」、「管理サーバ側印刷用基礎情報記憶部４２」の「管理サーバ側印刷用基礎情報（ポスター印刷用基礎情報等）」と「印刷機用発色特性情報プロファイル記憶部５３」の「印刷機用発色特性情報プロファイル」に基づいて、インクジェットプリンタ７１に、ポスター用印刷サンプルである「印刷サンプル」を印刷させる。
【００６３】
この「印刷サンプル」は、図１の印刷機１００及びインクジェットプリンタ７１の発色特性を考慮し、調整した上で、クライアント会社３のポスター印刷用基礎情報（どのような図案で、どのような色のインクを用いるか等の情報）に基づき印刷している。
したがって、実際に印刷機１００で印刷されるポスターと同一のポスターを、印刷機１００で印刷する前に、印刷し，確認することができるので、これらインクジェットプリンタ７１で印刷した「印刷サンプル」をクライアント会社３に送付することで、クライアント会社３は、出来上がりのポスターを正確に確認することができ、所謂「手戻り」が発生することを回避すること未然に防止することができる。
【００６４】
次いで、ＳＴ２０で、図１２の「最終製版情報」が、管理サーバ３０から印刷会社側サーバ８０へ送付される。
印刷会社５は、受信した「最終製版情報」に基づいて、印刷機１００で、所定枚数のポスターを「透明インク（紫外線発光インク）」等を用いて印刷することになる。
【００６５】
また、本実施の形態の「印刷物受注システム１」では、印刷機１００で印刷した実際のポスターは、印刷会社５から直接、クライアント会社３に納品されることになる。
しかし、これに限らず、印刷会社５から印刷後のポスターが管理会社２に送付され、内容確認後、クライアント会社３に納品されても構わない。
【００６６】
なお、本発明は、上述の各実施の形態に限定されない。
【符号の説明】
【００６７】
１・・・印刷物受注システム、２・・・管理会社、３・・・クライアント会社、４・・・インターネット網、５・・・印刷会社、１０・・・クライアント側サーバ、１１・・・クライアント側サーバ制御部、１２・・・クライアント側通信装置、１３・・・クライアント側サーバ入力装置、１４・・・クライアント側サーバディスプレイ、１５・・・クライアント側印刷用基礎情報記憶部、３０・・・管理サーバ、３１・・・管理サーバ制御部、３２・・・管理サーバ側通信装置、３３・・・管理サーバ側入力装置、３４・・・管理サーバ側ディスプレイ、４０・・・管理サーバ第１各種情報記憶部、４１・・・クライアント側印刷用基礎情報取得処理部（プログラム）、４２・・・管理サーバ側印刷用基礎情報記憶部、４３・・・透明インク用カラーパッチ画像情報記憶部、５０・・・管理サーバ第２各種情報記憶部、５４・・・製版情報生成部（プログラム）、５５・・・基礎製版情報記憶部、６０・・・管理サーバ第３各種情報記憶部、６１・・・最終製版情報生成部（プログラム）、６２・・・最終製版情報記憶部、６３・・・インクジェットプリンタ発色特性情報プロファイル記憶部、６４・・・印刷サンプル生成部（プログラム）、７０・・・測色機、７１・・・インクジェットプリンタ、７２・・・配置部、７３ａ、７３ｂ・・・紫外線発光部、７４ａ、７４ｂ・・・紫外線フィルタ、７５・・・受光部、７６・・・測色機本体、７７ａ、７７ｂ、７７ｃ・・・支持脚、８０・・・印刷会社側サーバ、８１・・・印刷会社側サーバ制御部、８２・・・印刷会社側サーバ通信装置、８３・・・印刷会社側サーバ入力装置、８４・・・印刷会社側サーバディスプレイ、８５・・・透明インク用カラーパッチ画像取得処理部（プログラム）、８６・・・印刷会社側透明インク用カラーパッチ画像情報記憶部、１００・・・印刷機、１１０・・・対物レンズ、１１１・・・アパーチャミラー、１１２・・・光ファイバ、１１３・・・コリメータレンズ、１１４・・・回折格子、１１５・・・結像レンズ、１１６・・・センサ、１１７・・・ＩＣＣプロファイル生成装置、１２０・・・ＩＣＣプロファイル生成装置制御部、１２１・・・ＩＣＣプロファイル生成装置側通信装置、１３０・・・ＩＣＣプロファイル生成装置第１各種記憶部、１３１・・・輝度情報記憶部、１３２・・・ＸＹＺ表色系情報生成部（プログラム）、１３３・・・ＸＹＺ表色系基準情報、１３４・・・ＸＹＺ表色系情報記憶部、１３５・・・Ｌ＊ａ＊ｂ＊表色系基準情報記憶部、１３６・・・・Ｌ＊ａ＊ｂ＊表色系情報生成部（プログラム）、１４０・・・ＩＣＣプロファイル生成装置第２各種記憶部、１４１・・・測定対象Ｌ＊ａ＊ｂ＊情報記憶部、１４２・・・印刷機発色特性基礎情報生成部（プログラム）、１４３・・・透明インク用カラーパッチ画像標準Ｌ＊ａ＊ｂ＊表色系情報記憶部、１４４・・・印刷機発色特性基礎情報記憶部、１４５・・・印刷機用発色特性情報プロファイル生成部（プログラム）、１４６・・・印刷機用発色特性情報プロファイル記憶部
【図１】
2015087301.tif 000003
【図２】
2015087301.tif 000004
【図３】
2015087301.tif 000005
【図４】
2015087301.tif 000006
【図５】
2015087301.tif 000007
【図６】
2015087301.tif 000008
【図７】
2015087301.tif 000009
【図８】
2015087301.tif 000010
【図９】
2015087301.tif 000011
【図１０】
2015087301.tif 000012
【図１１】
2015087301.tif 000013
【図１２】
2015087301.tif 000014
【図１３】
2015087301.tif 000015
【図１４】
2015087301.tif 000016
【図１５】
2015087301.tif 000017
【図１６】
2015087301.tif 000018